(57)【要約】【課題】  周波数が２ＧＨｚの移動通信網や特殊な電波方式による移動通信網などにおいても、発着信を表示することができる移動通信機器用アクセサリを提供する。【解決手段】  移動通信機器からの電波を受信するアンテナ１０を、プリント基板６の面上に配設されたラジアル１１と、一端部１２ａがプリント基板６に接続された内部アンテナ１２と、本体５の外側に配設され垂直に延びる外部アンテナ１３とから構成する。そして、ラジアル１１、内部アンテナ１２および外部アンテナ１３の長さを、電波の公称周波数から算出される公称波長の全波長、半波長、４分の１波長などの公称共振波長の約９５〜９７％に設定する。【選択図】  図３
2006237800.tif 000002
【特許請求の範囲】
【請求項１】
移動通信機器からの電波を受信するアンテナと、このアンテナによって電波を受信した際に駆動電圧電流を出力する駆動手段と、この駆動電圧電流によって駆動される表示手段とを備えた移動通信機器用アクセサリであって、
前記アンテナの長さが、前記移動通信機器からの電波の公称周波数から算出される公称波長の全波長、半波長、４分の１波長などの公称共振波長の約９５〜９７％に設定されている、
ことを特徴とする移動通信機器用アクセサリ。
【請求項２】
前記アンテナが、本体内の基板面上に配設されたラジアルと、一端部が前記基板に接続され前記本体内に配設された内部アンテナと、この内部アンテナの他端部に一端部が接続され前記本体の外側に配設された外部アンテナとから構成されている、
ことを特徴とする請求項１に記載の移動通信機器用アクセサリ。
【請求項３】
前記アンテナまたは前記外部アンテナが、略垂直に延びるように配設されている、
ことを特徴とする請求項１または２に記載の移動通信機器用アクセサリ。
【発明の詳細な説明】
【技術分野】
【０００１】
本発明は、携帯電話やＰＨＳなどの移動通信機器に取り付けられ、または、移動通信機器とともに携帯されるアクセサリに関し、特に、移動通信機器の発着信を発光によって知らせる移動通信機器用アクセサリに関するものである。
【背景技術】
【０００２】
移動通信網において、携帯電話などの移動通信機器への着信を知らせるものとして、移動通信機器に取り付けられるアクセサリ（ストラップ）が、着信の際に発光するものが知られている（例えば、特許文献１参照。）。このアクセサリは、携帯電話からの電波を受信して電圧に変換する検波手段と、この検波手段による電圧を増幅する増幅手段と、この増幅手段により制御される表示手段とを備えている。そして、携帯電話が発信または着信すると、携帯電話からの電波を受信して、表示手段を発光させるものである。
【特許文献１】特開２００１−２３１６２４号公報
【発明の開示】
【発明が解決しようとする課題】
【０００３】
ところで、従来の移動通信網においては、使用される電波の周波数は８００Ｍ〜９００ＭＨｚが主流であったが、Ｗ−ＣＤＭＡ方式など今後の主流とされる移動通信網では、電波の周波数が２ＧＨｚとなる。また、周波数が８００Ｍ〜９００ＭＨｚであっても、電波の送受信方式が特殊である、例えば、中継基地局の電波を自動的に選択する機能を有する携帯電話もある。
【０００４】
一方、上記のようなアクセサリでは、周波数が８００Ｍ〜９００ＭＨｚの電波のみを受信可能であり、また、特殊な送受信方式の電波を受信できるようにはなっていない。このため、このようなアクセサリでは、周波数が２ＧＨｚの移動通信網や特殊な電波方式による移動通信網においては、発着信時に発光することができなかった。
【０００５】
そこで本発明は、周波数が２ＧＨｚの移動通信網や特殊な電波方式による移動通信網などにおいても、発着信を表示することができる移動通信機器用アクセサリを提供することを目的とする。
【課題を解決するための手段】
【０００６】
上記目的を達成するために、請求項１に記載の発明は、移動通信機器からの電波を受信するアンテナと、このアンテナによって電波を受信した際に駆動電圧電流を出力する駆動手段と、この駆動電圧電流によって駆動される表示手段とを備えた移動通信機器用アクセサリであって、アンテナの長さが、移動通信機器からの電波の公称周波数から算出される公称波長の全波長、半波長、４分の１波長などの公称共振波長の約９５〜９７％に設定されていることを特徴としている。
（作用）
移動通信網における実際の電波は、公称周波数例えば２ＧＨｚよりも高い周波数において電波強度が強く分布しており、この強い電波の波長は公称波長よりも短い。そして、このような実際の電波に対して、アンテナの長さが公称共振波長の約９５〜９７％に設定されているため、実際の電波と良好に共振し、強い共振電圧電流が得られ、電波が良好に受信される。
【０００７】
請求項２に記載の発明は、請求項１に記載の移動通信機器用アクセサリにおいて、アンテナが、本体内の基板面上に配設されたラジアルと、一端部が基板に接続され本体内に配設された内部アンテナと、この内部アンテナの他端部に一端部が接続され本体の外側に配設された外部アンテナとから構成されていることを特徴としている。
（作用）
基板面上に配設されたラジアルによって、基板面が等電位面（接地面）となり、この等電位面に接続、配設された内部アンテナと外部アンテナとによってアンテナ全体がグランドプレーンアンテナ（接地型アンテナ）として機能し、電波の受信感度が高められる。しかも、内部アンテナと外部アンテナとの２つのアンテナが設けられていることによって、電波の受信感度がさらに高められる。また、２つのアンテナの長さを変えることで、周波数が異なる複数の電波を的確に受信することが可能となる。
【０００８】
請求項３に記載の発明は、請求項１または２に記載の移動通信機器用アクセサリにおいて、アンテナまたは外部アンテナが、略垂直に延びるように配設されていることを特徴としている。
（作用）
例えば、垂直に延びる外部アンテナの一端が自由端となって吊るされるように、本アクセサリを携帯電話に取り付けることで、外部アンテナが自重によって地表面に対して垂直な状態となり、電波の受信感度がさらに高められる。
【発明の効果】
【０００９】
本発明によれば、移動通信網における実際の電波を良好に受信できるようにアンテナの長さが設定されているため、周波数が２ＧＨｚの移動通信網や特殊な電波方式による移動通信網などにおいても、電波を的確に受信し、表示手段によって発着信を表示させることが可能となる。さらに、アンテナをラジアルと内部アンテナと外部アンテナとで構成することで、電波の受信感度が高まるとともに、例えば、周波数が８００Ｍ〜９００ＭＨｚの電波と周波数が２ＧＨｚの電波とを良好に受信することが可能となる。また、アンテナを略垂直に延びるように配設することで、電波の受信感度が高められ、より良好かつ的確に電波を受信することができるようになる。
【発明を実施するための最良の形態】
【００１０】
以下、本発明を図示の実施形態に基づいて説明する。
【００１１】
図１は、本発明の実施形態に係るストラップ１（移動通信機器用アクセサリ）の正面図である。図中符号２はリング状の吊り紐で、この吊り紐２の一端部に円柱状の金具３が取り付けられ、この金具３にはリング４が揺動自在に取り付けられている。このリング４には、被覆銅線製で垂直に延びる外部アンテナ１３の一端部が取り付けられ、この外部アンテナ１３の他端部に本体５（モジュール）が配設されている。そして、吊り紐２を携帯電話（移動通信機器）のフック孔などに結び付けることで、ストラップ１が携帯電話などに取り付けられるものである。
【００１２】
このストラップ１は、図２に示すように主として、移動通信機器からの電波を受信するアンテナ１０と、このアンテナ１０によって電波が受信された際に駆動電圧電流を出力する駆動手段１４と、この駆動電圧電流によって駆動されるＬＥＤ１５（表示手段）と、電池１６とを備えている。
【００１３】
アンテナ１０は、ラジアル１１（グランドプレーン）と内部アンテナ１２と外部アンテナ１３とから構成され、それぞれ図３に示すように配設されている。すなわち、ラジアル１１は銅箔製で、後述するプリント基板６（基板）の面上に、数十平方ミリメートル程度の基板面積上にも実装できるように、ジグザグ状（Ｓ字状）に印刷（配設）されている。内部アンテナ１２は、その一端部１２ａがプリント基板６に接続された状態でコイル状に形成され、この内部アンテナ１２とラジアル１１（プリント基板６）とは、本体５内に配設されている。また、外部アンテナ１３は線状（棒状）に形成され、その一端部１３ａが内部アンテナ１２の他端部１２ｂに接続され、本体５の外側に向けて垂直に延びるように配設されている。
【００１４】
これらラジアル１１、内部アンテナ１２および外部アンテナ１３の長さは、電波の公称周波数に基づく公称共振波長の９５〜９７％に設定されている。すなわち、例えば、電波の公称周波数が８８８Ｍ〜９２４．０５ＭＨｚの移動通信網Ａにおいて使用される場合には、この公称周波数から算出される公称波長（＝光の速度／公称周波数）の半波長、１／４波長などの公称共振波長（１００％）は、図４に示すような値となる。そして、内部アンテナ１２および外部アンテナ１３の長さとして、本体５の内外に配設できる実用的な長さで、かつ、共振電圧電流が低くならない（電波の受信感度が低くならない）長さである１／８波長（８３ｍｍ）が選定され、この１／８波長の９５％（７９ｍｍ）から９７％（８１ｍｍ）にアンテナ１２、１３の長さが設定される。また、ラジアル１１の長さとしては、小さなプリント基板６の面上に配設できる長さである１／１６波長（４２ｍｍ）が選定され、この１／１６波長の９５％（４０ｍｍ）から９７％（４０ｍｍ）にラジアル１１の長さが設定される。
【００１５】
同様に、例えば、電波の公称周波数が２ＧＨｚの移動通信網Ｂにおいて使用される場合には、内部アンテナ１２および外部アンテナ１３の長さとして、この公称周波数から算出される公称共振波長（図４参照）から１／４波長（７５ｍｍ）が選定され、この１／４波長の９５％（７１ｍｍ）から９７％（７３ｍｍ）にアンテナ１２、１３の長さが設定される。また、ラジアル１１の長さとしては、１／１６波長（１９ｍｍ）が選定され、この１／１６波長の９５％（１８ｍｍ）から９７％（１８ｍｍ）にラジアル１１の長さが設定されるものである。
【００１６】
ところで、ラジアル１１、内部アンテナ１２および外部アンテナ１３の長さが、上述のように公称共振波長の９５〜９７％に設定されているのは、次の理由によるものである。すなわち、電波の公称周波数から算出される公称波長の全波長、半波長、１／４波長などを公称共振波長とすると、この公称共振波長にアンテナの長さを一致させることで、アンテナが電波と良好に共振（共鳴）し、強い共振電圧電流が得られる、というのが理論原理である。しかしながら、例えば移動通信網Ｂにおける実際の電波は、公称周波数である２ＧＨｚよりも数％程度高い周波数において電波強度が強く分布しており、この強い電波の波長は公称波長よりも短い。そして、強い電波の波長が公称波長よりも短いことに合わせて、アンテナの長さを公称共振波長の約９５〜９７％に設定することで、アンテナが実際の電波と良好に共振し、強い共振電圧電流が得られる、ということを本発明者らが発見したことによるものである。
【００１７】
駆動手段１４は、図２に示すように、同調回路１４ａと検波回路１４ｂと増幅回路１４ｃとドライバ回路１４ｄとを備えている。同調回路１４ａは、アンテナ１０が受信した電波の中から、所定の周波数だけを選択する役目を有し、検波回路１４ｂは、同調回路１４ａからの電波を直流成分に復調するものであり、この同調回路１４ａと検波回路１４ｂとは、アクティブ型ショットキーバリアダイオードで構成されている。増幅回路１４ｃは、検波回路１４ｂからの電流（復調電圧電流）をＬＥＤ１５が点滅する電流値まで増幅するものであり、本実施形態では、増幅率が２〜４ｄＢに設定されている。また、ドライバ回路１４ｄは、増幅された電流（駆動電圧電流）をＬＥＤ１５に流して（出力して）ＬＥＤ１５を点滅（駆動）させるＬＥＤフラッシャードライバ回路であり、これらの回路１４ａ〜１４ｄは一体型のチップとして、プリント基板６上に搭載されている。
【００１８】
プリント基板６は、ベークライト製の基板とエポキシガラス製の基板との２層構造をしており、また、電池１６は、駆動手段１４（増幅回路１４ｃ）を駆動してＬＥＤ１５を点滅させる動力源となっている。そして、このプリント基板６と電池１６およびＬＥＤ１５は、本体５内に配設されている。
【００１９】
このような構成のストラップ１を上述のようにして例えば携帯電話に取り付け、携帯電話が発信または着信すると、ＬＥＤ１５が点滅するものである。すなわち、携帯電話が発信または着信すると、携帯電話からの電波がアンテナ１０によって受信され、この受信された電波が駆動手段１４によって復調、増幅されてＬＥＤ１５が点滅するものである。ここで、例えば、電波の公称周波数が８８８Ｍ〜９２４．０５ＭＨｚの移動通信網Ａにおいてストラップ１が使用される場合には、上述のように、この移動通信網Ａにおける実際の電波と良好に共振し、強い共振電圧電流が得られるようにアンテナ１０の長さが設定されているため、電波が良好に受信される。このことは、電波の公称周波数が２ＧＨｚの移動通信網Ｂにおいても同様である。また、増幅回路１４ｃによって微弱な電波でも増幅されて、的確に受信することが可能となる。
【００２０】
しかも、プリント基板６の面上に配設されたラジアル１１によって、その基板面が等電位面すなわち擬似接地面（擬似地表面）となり、この等電位面に接続、配設された内部アンテナ１２と外部アンテナ１３とによってアンテナ１０全体がグランドプレーンアンテナ（接地型アンテナ）として機能する。そして、等電位面が鏡のような働きをして、あたかも垂直ダイポールアンテナがあるかのようにアンテナ１０が動作し、電波の受信感度が高められる。さらに、内部アンテナ１２と外部アンテナ１３との２つのアンテナが設けられていることによって、電波の受信感度がさらに高められ、微弱な電波をも的確に受信できる。
【００２１】
また、外部アンテナ１３が本体５から外側に向けて垂直に延びるように配設されているため、これによっても電波がさらに良好に受信できるようになる。すなわち、一般に、アンテナが地表面に対して垂直（直角）に位置した状態が最も電波の受信感度が高く、これとは逆に、地表面に対して水平（並行）に位置した状態が最も電波の受信感度が低い。これは、地球（地表）がアース（グランド）となって電位がゼロとなり、空中に浮いているアンテナがプラスの電位を持ち、地球とアンテナとの電位差が電圧電流になるからである。そして、アンテナが垂直に位置した状態では電位差が大きく、アンテナが水平に位置した状態では電位差が小さくなるからである。また、移動通信網における電波は、一般の街中などにおいて、水平方向よりも垂直方向への強度が強いため、アンテナを垂直方向に位置させることで、強い電波を受信できる。これに対して、本ストラップ１を携帯電話に取り付けると、本体５側を自由端として吊り紐２から外部アンテナ１３が吊るされるようになり、携帯電話を携帯している通常状態（外部アンテナ１３を寝かしていない状態）では、常に外部アンテナ１３が自重によって地表面に対して垂直な状態となる。この結果、外部アンテナ１３の電波受信感度がさらに高められるものである。
【００２２】
そしてこれらの結果として、電波の公称周波数が２ＧＨｚの移動通信網Ｂや特殊な電波方式による移動通信網などにおいても、電波を良好かつ的確に受信し、ＬＥＤ１５を点滅させることができるものである。これに対し、従来のストラップでは、内部アンテナのみを備えており、また、アンテナの長さが公称共振波長（１００％）に合わせて設定されているため、電波を良好かつ的確に受信することができず、移動通信網Ｂや特殊な電波方式による移動通信網などにおいて、発着信を表示（発光など）させることができないものである。
【００２３】
ところで、本実施形態では、内部アンテナ１２と外部アンテナ１３とを同じ長さに設定しているが、異なる長さに設定してもよい。例えば、内部アンテナ１２によって、公称周波数が８８８Ｍ〜９２４．０５ＭＨｚの電波を良好に受信し、外部アンテナ１３によって、公称周波数が２ＧＨｚの電波を良好に受信できるように、それぞれの長さを上述のようにして設定してもよい。そしてこれにより、１つのストラップを周波数が異なる移動通信網Ａ、Ｂにおいて使用することが可能となる。
【００２４】
また、本実施形態では、ラジアル１１、内部アンテナ１２および外部アンテナ１３の長さを、電波の公称周波数に基づく公称共振波長の９５〜９７％に設定しているが、移動通信網における実際の電波の強度分布や、必要とされる受信感度などに応じて、微調整してもよいことは勿論である。すなわち、実際の電波を良好かつ的確に受信できる範囲において、ラジアル１１、内部アンテナ１２および外部アンテナ１３の長さを公称共振波長の約９５〜９７％の範囲で調整してもよい。
【００２５】
さらに、本実施形態では、外部アンテナ１３が線状（棒状）に形成されているが、コイル状に形成してもよい。これにより、リング４から本体５までの距離を短くすることができ、本体５が長く吊り下がって邪魔になることがなく、外観性も向上する。また、外部アンテナ１３自体を吊り紐としてもよく、これにより構成が簡略化される。なお、本実施形態では、表示手段がＬＥＤ１５であるが、ＥＬ素子などその他の表示手段であってもよいことは勿論である。
【図面の簡単な説明】
【００２６】
【図１】本発明の実施形態に係るストラップの正面図。
【図２】本発明の実施形態に係るストラップの概略構成を示すブロック図。
【図３】本発明の実施形態に係るストラップのアンテナの構成を示す斜視図。
【図４】本発明の実施形態に係るストラップにおいて、電波の波長とアンテナの長さとの関係を示す図。
【符号の説明】
【００２７】
１          ストラップ（移動通信機器用アクセサリ）
２          吊り紐
３          金具
４          リング
５          本体
６          プリント基板（基板）
１０        アンテナ
１１        ラジアル
１２        内部アンテナ
１３        外部アンテナ
１４        駆動手段
１４ａ      同調回路
１４ｂ      検波回路
１４ｃ      増幅回路
１４ｄ      ドライバ回路
１５        ＬＥＤ（表示手段）
１６        電池
【図１】
2006237800.tif 000003
【図２】
2006237800.tif 000004
【図３】
2006237800.tif 000005
【図４】
2006237800.tif 000006